(57)【要約】【課題】本発明の課題は、微細な形状の印刷が可能な凸版を製造する装置、および、その凸版を製造する方法を提供することである。【解決手段】細な印刷形状情報を有する編集組版情報を含む製版データから透明データと遮光データを作成保持して、製版データの微細な印刷形状情報を取得して、これに隣接する透明データを、前記保持された透明データから選択して、半透明データに変更して、透明データと半透明データと遮光データとから、マスク加工データを作成するマスク加工データ作成手段と、マスク加工データを取得して、これに従ってレーザー光量を制御する光量制御情報を発行するレーザー光制御手段と、光量制御情報を受け付けて、光量を制御したレーザーを照射して、透過光制御型マスクを作成するレーザー光照射手段と、を備える透過光制御型マスク作成装置である。【選択図】図１
2007232808.tif 000002
【特許請求の範囲】
【請求項１】
微細な印刷形状情報を有する編集組版情報を含む製版データと、
微細な印刷形状情報を含む微細領域データと、
透明データと遮光データと半透明データとを含むマスク加工データと、
を記憶する記憶手段と、
製版データから、透明データを作成して、保持する透明データ作成手段と、
製版データから、遮光データを作成して、保持する遮光データ作成手段と、
製版データの編集組版情報が有する微細な印刷形状情報から、前記微細領域データを作成する微細領域データ作成手段と、
保持された透明データを取得して、前記作成された微細領域データに隣接する透明データを選択して、これから半透明データを作成する半透明データ作成手段と、
保持された透明データから、選択されなかった透明データを取得して、これらと、前記半透明データと前記保持された遮光データとから、マスク加工データを作成するマスク加工データ作成手段と、
マスク加工データを取得して、これに従ってレーザー光量を制御する光量制御情報を発行するレーザー光制御手段と、
光量制御情報を受け付けて、レーザー光量を制御したレーザーを照射して、透過光制御型マスクを作成するレーザー光照射手段と、
を備える透過光制御型マスク作成装置。
【請求項２】
微細な印刷形状情報を有する編集組版情報を含む製版データと、
微細な印刷形状情報を含む微細領域データと、
透明データと遮光データと半透明データとを含むマスク加工データと、
を用いる、透過光制御型マスク作成方法であって、
製版データから、透明データを作成して、保持する透明データ作成ステップと、
製版データから、遮光データを作成して、保持する遮光データ作成ステップと、
製版データの編集組版情報が有する微細な印刷形状情報から、前記微細領域データを作成する微細領域データ作成ステップと、
保持された透明データを取得して、前記作成された微細領域データに隣接する透明データを選択して、これから半透明データを作成する半透明データ作成ステップと、
保持された透明データから、選択されなかった透明データを取得して、これらと、前記半透明データと前記保持された遮光データとから、マスク加工データを作成するマスク加工データ作成ステップと、
マスク加工データを取得して、これに従ってレーザー光量を制御して、照射して、透過光制御型マスクを作成するレーザー光制御照射ステップと、
を含んだ手順でなされることを特徴とする透過光制御型マスク作成方法。
【請求項３】
コンピュータに組込むことによって、コンピュータを請求項１に記載の露光制御型感光性樹脂凸版用マスク作成装置として動作させるコンピュータプログラム。
【請求項４】
請求項３に記載のコンピュータプログラムを記録したコンピュータ読取り可能な記録媒体。
【発明の詳細な説明】
【技術分野】
【０００１】
本発明は、感光性樹脂凸版の製造装置、および、感光性樹脂凸版の製造方法に関するものである。
【０００２】
従来から、感光性樹脂凸版（以下、樹脂版）の製造においては、印刷形状を形成させた製版マスクを介して、光を樹脂に照射させることで、光硬化型樹脂を硬化させて、凸版を作成している。
【背景技術】
【０００３】
たとえば、特許文献１には、感光性樹脂版の表面に、直接に、カーボン層の製版マスクを設けて、レーザー光を照射させて、カーボンを除去した透明部とカーボンを残した遮光部とを形成させて、製版マスクを作成して、紫外線を照射して感光性樹脂版を硬化させて、未硬化部分を溶剤により溶解させて取り去って、凸版を製造する技術が開示されている。（従来技術１）
【特許文献１】特開平８−３００６００号公報（８〜９ページ、図２）
【発明の開示】
【発明が解決しようとする課題】
【０００４】
ところで、従来技術１では、レーザー光により作成した製版マスクは、カーボンを除去した透明部と、カーボンを除去していない遮光部とから構成されているために、微細な凸部（たとえば、袋文字や親子罫線や網点）を持つ樹脂版を製造しようとすると、微細な遮光部が、紫外線を十分に遮光できず、その結果、紫外線が感光性樹に余分に照射されて露光されてしまい、浅い溝の凸部が形成されてしまうとうい欠点があった。そのために、この浅い溝の凸部に、印刷インキが溜まってしまい、微細な線や網点が隣と繋がって潰れた状態となり、印刷品質を劣化させた。
【０００５】
本発明はこのような従来技術を考慮してなされたものであって、本発明の課題は、微細な形状の印刷が可能な凸版を製造する装置、および、その凸版を製造する方法を提供することである。
【課題を解決するための手段】
【０００６】
本発明は、以下のような解決手段により、前記課題を解決する。すなわち、請求項１の発明は、微細な印刷形状情報を有する編集組版情報を含む製版データと、微細な印刷形状情報を含む微細領域データと、透明データと遮光データと半透明データとを含むマスク加工データと、を記憶する記憶手段と、製版データから、透明データを作成して、保持する透明データ作成手段と、製版データから、遮光データを作成して、保持する遮光データ作成手段と、製版データの編集組版情報が有する微細な印刷形状情報から、前記微細領域データを作成する微細領域データ作成手段と、保持された透明データを取得して、前記作成された微細領域データに隣接する透明データを選択して、これから半透明データを作成する半透明データ作成手段と、保持された透明データから、選択されなかった透明データを取得して、これらと、前記半透明データと前記保持された遮光データとから、マスク加工データを作成するマスク加工データ作成手段と、マスク加工データを取得して、これに従ってレーザー光量を制御する光量制御情報を発行するレーザー光制御手段と、
光量制御情報を受け付けて、レーザー光量を制御したレーザーを照射して、透過光制御型マスクを作成するレーザー光照射手段と、を備える透過光制御型マスク作成装置である。
【０００７】
ここで、製版データとは、文字や罫線を編集組版したテキスト・データである。微細な印刷形状情報とは、たとえば、袋文字の輪郭部や親子罫線の子罫線や網点である。マスク加工データとは、編集組版された文字や罫線を画像化したビットマップ・データである。
【０００８】
透過光制御型マスク作成装置（たとえば、ＣＴＰ装置）は、微細な印刷形状部分が半透明部で構成される透過光制御型マスクを形成することができる。
【０００９】
請求項２の発明は、微細な印刷形状情報を有する編集組版情報を含む製版データと、微細な印刷形状情報を含む微細領域データと、透明データと遮光データと半透明データとを含むマスク加工データと、を用いる、透過光制御型マスク作成方法であって、製版データから、透明データを作成して、保持する透明データ作成ステップと、製版データから、遮光データを作成して、保持する遮光データ作成ステップと、製版データの編集組版情報が有する微細な印刷形状情報から、前記微細領域データを作成する微細領域データ作成ステップと、保持された透明データを取得して、前記作成された微細領域データに隣接する透明データを選択して、これから半透明データを作成する半透明データ作成ステップと、保持された透明データから、選択されなかった透明データを取得して、これらと、前記半透明データと前記保持された遮光データとから、マスク加工データを作成するマスク加工データ作成ステップと、マスク加工データを取得して、これに従ってレーザー光量を制御して、照射して、透過光制御型マスクを作成するレーザー光制御照射ステップと、を含んだ手順でなされることを特徴とする透過光制御型マスク作成方法である。
【００１０】
請求項３の発明は、コンピュータに組込むことによって、コンピュータを請求項１に記載の露光制御型感光性樹脂凸版用マスク作成装置として動作させるコンピュータプログラムである。
【００１１】
請求項４の発明は、請求項３に記載のコンピュータプログラムを記録したコンピュータ読取り可能な記録媒体である。
【発明の効果】
【００１２】
本願発明によれば、微細な形状の印刷を行うために十分な溝を有する凸版を製造することが可能になる。また、微細な印刷を行うために十分な溝を有する凸版を用いることで、品質の優れた微細な形状の印刷することが可能になる。
【発明を実施するための最良の形態】
【００１３】
（実施例）
以下、図面等を参照しながら、本発明の実施の形態について、更に詳しく説明する。図１は、透過光制御型マスク作成システム１の概要を説明する図である。透過光制御型マスク作成装置 ３００と、編集組版装置１００と、凸版作成装置５００と、印刷装置７００と、から構成される。
【００１４】
透過光制御型マスク作成装置３００（たとえば、ＣＴＰ装置）は、製版データ１９１と、マスク加工データ３９９と、製版マスク４００（たとえば、樹脂版４００ｂのカーボン層４００、製版マスク・フィルム）と、透明部と半透明部と遮光部とを有する透過光制御型マスク４００と、を備える。ここで、透明部とは、たとえば、「透過濃度値＝０．３以下」であって、半透明部とは、たとえば、「透過濃度値＝０．３５−０．４」であって、遮光部とは、たとえば、「透過濃度値＝２．０以上」である。
【００１５】
編集組版装置１００（たとえば、ＤＴＰ装置）は、微細な印刷形状（たとえば、袋文字や親子罫線や網点）のデータを含んだ製版データ１９１を備える。凸版作成装置５００は、透過光制御型マスク４００ａを有する樹脂版４００ｂと、樹脂凸版４００ｐと、を備える。印刷装置７００は、樹脂凸版４００ｐと、微細な印刷形状（たとえば、袋文字や親子罫線や網点）を持つ印刷物７９９と、を備える。
【００１６】
ここで、透過光制御型マスク作成装置３００のそのほかの例としては、製版マスク・フィルム露光装置が、ある。また、このときには、製版マスク４００としては、製版マスク・フィルムを用いる。
【００１７】
図２は、透過光制御型マスク作成システム１の大まかな処理の流れを説明する。編集組版装置１００（たとえば、ＤＴＰ）は、微細な印刷形状（たとえば、袋文字や親子罫線）を含んだ編集組版を行い、製版データ１９１を作成する（図２（ア））。
【００１８】
透過光制御型マスク作成装置３００（たとえば、ＣＴＰ装置）は、製版データ１９１から、マスク加工データ３９９を生成する（同（イ））。ＣＴＰ装置３００は、マスク加工データ３９９を用いて、レーザー光を制御照射して、製版マスク４００（たとえば、樹脂版４００ｂのカーボン層４００）を加工して、透明部と半透明部と遮光部を有する透過光制御型マスク４００ａを作成する（同（ウ））。ここで、透明部とは、カーボン層４００を完全に剥離する部分であり、半透明部とは、カーボン層４００を不完全に剥離する部分である。
【００１９】
なお、マスク加工データ３９９は、あらかじめ、透明部を作成するデータと、マスクを半透明にするデータに分けて、カーボン層４００を、２回に分けて、レーザー照射してもよい。
【００２０】
凸版作成装置５００は、透過光制御型マスク４００ａを有する樹脂版４００ｂを、紫外光で露光（たとえば、露光エネルギー＝８０００ｍｊ／ｍｍ2）して、樹脂を硬化させて、未硬化の樹脂を溶解させて、樹脂凸版４００ｐを作成する（同（エ））。
【００２１】
印刷装置７００は、作成した樹脂凸版４００ｂを用いて、袋文字や親子罫線や網点を持つ印刷物７９９を製造する（同（カ））。
【００２２】
図３は、透過光制御型マスク作成装置３００の詳細な構成図である。
【００２３】
マスク作成装置３００は、透明データ作成手段３１０と、遮光データ作成手段３１５と、微細領域データ作成手段３２０と、半透明データ作成手段３３０と、マスク加工データ作成手段３４０と、レーザー光制御手段３５０と、レーザー光照射手段３５５と、記憶手段３９０と、を備える。記憶手段３９０は、製版データ１９１と、微細領域データ３９５と、マスク加工データ３９９と、を記憶える。
【００２４】
製版データ１９１は、輪郭線情報を有する袋文字情報や、子罫線情報を有する親子罫線情報や、網点、を含むデータである。微細領域データ３９５は、袋文字の輪郭線情報や、親子罫線の子罫線情報や、網点情報、を含むデータである。マスク加工データ３９９は、透明データと遮光データと半透明データとを含むデータである。
【００２５】
透明データ作成手段３１０は、製版データから、透明データを作成して、保持する。遮光データ作成手段３１５は、製版データから、遮光データを作成して、保持する。
【００２６】
微細領域データ作成手段３２０は、製版データが有する袋文字情報の輪郭線情報や親子罫線情報の子罫線情報や網点情報から、前記微細領域データを作成する。半透明データ作成手段３３０は、保持された透明データを取得して、前記作成された微細領域データの袋文字の輪郭線や親子罫線の子罫線や網点に隣接する透明データを選択して、これから半透明データを作成する。
【００２７】
マスク加工データ作成手段３４０は、選択されなかった透明データを、保持された透明データから取得して、これらと、前記半透明データと前記保持された遮光データとから、マスク加工データ３９９を作成する。
【００２８】
レーザー光制御手段３５０は、マスク加工データを取得して、これに従ってレーザー光量を制御する光量制御情報を発行する。
レーザー光照射手段３５５は、光量制御情報を受け付けて、レーザー光量を制御したレーザーを照射して、透過光制御型マスクを作成する。
【００２９】
透明データ作成手段３１０と、遮光データ作成手段３１５と、微細領域データ作成手段３２０と、半透明データ作成手段３３０と、マスク加工データ作成手段３４０と、レーザー光制御手段３５０と、は、コンピュータプログラムである。製版データ１９１と、微細領域データ３９５と、マスク加工データ３９９と、は、コンピュータプログラムが可読なベクトルデータである。レーザー光照射手段３５５は、レーザー・デバイスである。記憶手段３９０は、メモリである。
【００３０】
図４は、製版データ１９１の構造を説明する図である。製版データ１９１は、袋文字オブジェクト１９１ａと、親子罫線オブジェクト１９１ｂと、文字オブジェクト１９１ｃと、罫線オブジェクト１９１ｄと、画像オブジェクト１９１ｅと、などを含んで、構成される。
【００３１】
袋文字オブジェクト１９１ａは、袋文字の編集製版データである。親子罫線オブジェクト１９１ｂは、親子罫線の編集製版データである。文字オブジェクト１９１ｃは、文字の編集製版データである。罫線オブジェクト１９１ｄは、罫線の編集製版データである。袋文字オブジェクト１９１ａの項目は、文字種と、文字サイズと、文字色と、文字座標（始点、終点）と、文字データなど、である。文字種は、袋文字の種類（たとえば、明朝、ゴシックなど。）である。文字サイズは、袋文字の寸法である。文字色は、袋文字の色である。文字座標は、袋文字割付の始点座標値と、終点座標値である。文字データは、割り付けられた袋文字データである。
【００３２】
親子罫線オブジェクト１９１ｂの項目は、罫種と、罫サイズと、罫色と、座標（始点、終点）など、である。罫種は、親子罫線の種類（たとえば、リーダー、破線など。）である。罫サイズは、親子罫線の太さ（ポイント値）である。罫色は、親子罫線の色である。座標は、親子罫線の始点座標値と、終点座標値である。
【００３３】
画像オブジェクト１９１ｅの項目は、座標（始点、終点）と、画像データなど、である。座標は、画像の始点座標値と、終点座標値である。画像データは、網点データである。
【００３４】
文字オブジェクト１９１ｃと、罫線オブジェクト１９１ｄとの項目は、それぞれ、袋文字オブジェクト１９１ａと、親子罫線オブジェクト１９１ｂとのの項目と同じである。
【００３５】
図５は、微細領域データ３９５の構造を説明する図である。微細領域データ３９５は、袋文字輪郭情報３９５ａと、子罫線情報３９５ｂと、網点情報３９５ｃと、から構成されている。
【００３６】
袋文字輪郭情報３９５ａの項目は、袋文字の輪郭線の情報であって、輪郭線種と、輪郭線サイズと、輪郭線色と、輪郭線の始点座標値と終点座標値と、である。これらの輪郭線種と、輪郭線サイズと、輪郭線色と、輪郭線の始点座標値と終点座標値と、の定義は、親子罫線オブジェクト１９１ｂの各項目と同じである。
【００３７】
子罫線情報３９５ｂの項目は、親子罫線の子罫線種と、子罫線サイズと、子罫線色と、子罫線の始点座標値と終点座標値と、である。これらの子罫線種と子罫線サイズと子罫線色と子罫線の始点座標値と終点座標値との定義は、親子罫線オブジェクト１９１ｂの各項目と同じである。
【００３８】
網点情報３９５ｃの項目は、画像の始点座標値終点座標値と、画像データと、である。これらの画像の始点座標値終点座標値と、画像データとの定義は、画像オブジェクト191ｅの各項目と同じである。
【００３９】
図６は、マスク加工データ３９９の構造を説明する図である。マスク加工データ３９９は、半透明データ３９９ａと、透明データ３９９ｂと、遮光データ３９９ｃと、から構成されている。
【００４０】
半透明データ３９９ａは、所定の光（たとえば、レーザー光）にとって、半透明状態になるように、製版マスク４００（たとえば、樹脂版４００ｂのカーボン層４００）の所望の領域を加工して、半透明部にするデータである。透明データ３９９ｂは、所定の光にとって、透明状態になるように、製版マスク４００の所望の領域を加工して、透明部にするデータである。遮光データ３９９ｃは、所定の光（たとえば、レーザー光）が光遮断状態になるように、製版マスク４００の所望の領域を、加工して、遮光部にするデータである。（なお、半透明部・透明部・遮光部の詳細は、後述する。）
【００４１】
図７は、マスク加工データの作成手順の説明図である。透明データ作成手段３１０は、製版データから、透明データを作成して、保持する（図７（１））。
微細領域データ作成手段３２０は、製版データが有する袋文字情報の輪郭線情報や親子罫線情報の子罫線情報から、前記微細領域データを作成する（同（２））。
【００４２】
半透明データ作成手段３３０は、保持された透明データを取得して、前記作成された微細領域データの袋文字の輪郭線や親子罫線の子罫線や網点情報に隣接する透明データを選択して、これから半透明データを作成する（同（３））。
【００４３】
遮光データ作成手段３１５は、製版データから、遮光データを作成して、保持する（同（４））。
【００４４】
マスク加工データ作成手段３４０は、保持された透明データから、選択されなかった透明データを取得して（同（５））、これらと、前記半透明データと（同（６））、前記保持された遮光データと（同（７））、から、マスク加工データを作成する。
【００４５】
図８は、マスク４００を有する樹脂版（マスク未加工）の構造を説明する図である。
板状の樹脂部４００ｂの上に、マスク層４００が接着している。マスク層４００は、カーボンである。カーボンに、レーザー光を照射して、そのエネルギーで、カーボンを蒸発させて、印刷形状の像を形成させる。このとき、レーザー光の光量を制御することで、カーボンの蒸発量を変えて、半透明部と透明部と遮光部を形成する。樹脂部４００ｂは、光硬化型の樹脂である。たとえば、感光波長が340〜380nmである光硬化型樹脂を用いる。
【００４６】
図９は、加工されたマスクを有する樹脂版の例である。図９には、加工されたマスクを有する樹脂版と、加工したマスク４００ａの上面図（部分）と、加工したマスクを有する樹脂版の断面図（部分）と、が例示されている。
【００４７】
加工したマスク４００ａは、透明部４００ｔと、半透明部４００ｓと、遮光部４００ｃと、を有する。透明部４００ｔは、光源から照射される光の所定光量を透過させて、樹脂部４００ｂに到達させる。半透明部４００ｓは、光源から照射される光の所定光量の一部を除去して透過させて、樹脂部４００ｂに到達させる。遮光部４００ｃは、光源から照射される光を遮断して、樹脂部４００ｂに到達させない。
【００４８】
図１０は、マスクの透過濃度値と紫外線透過光量の対応を説明する図である。感光性樹脂版の感光波長（たとえば、340〜380nm）に対応した透過濃度値と感光性樹脂へ照射される紫外線量との対応表９９０が、例示されている。
【００４９】
たとえば、「光源の紫外線量＝１００００ｍｊ／ｍｍ2」のときに、透明部が、「透過濃度値＝０．３０」では、「感光性樹脂へ照射される紫外線量＝５０００ｍｊ／ｍｍ2」であって、「透過濃度値＝０．１５」では、「感光性樹脂へ照射される紫外線量＝７０００ｍｊ／ｍｍ2」であって、「透過濃度値＝０．０５」では、「感光性樹脂へ照射される紫外線量＝９０００ｍｊ／ｍｍ2」であることが、例示されている。
【００５０】
また、半透明部が、「透過濃度値＝０．３５」では、「感光性樹脂へ照射される紫外線量＝４５００ｍｊ／ｍｍ2」であって、「透過濃度値＝０．４０」では、「感光性樹脂へ照射される紫外線量＝４０００ｍｊ／ｍｍ2」であることが、例示されている。
【００５１】
さらに、遮光部が、「透過濃度値＝２．０以上」では、「感光性樹脂へ照射される紫外線量＝１００ｍｊ／ｍｍ2以下」であることが、例示されている。
【００５２】
ここで、透過濃度値の定義式は、「透過濃度値＝ −ｌｏｇ10(Ｉ/Ｉｏ)」（I：透過光量  Io：入射光量）である。なお、透過濃度測定器は、ジアゾフィルム、オルソフィルム等の一般的な製版フィルムが測定可能な濃度計（例えばX-Rite 社製  Xrite-309R）を用いればよい。
【００５３】
次に、参考図を用いて、補足の説明をする。
（参考図）
図１１は、透過光制御型マスクを用いた樹脂版の硬化部分の説明図である。透過光制御型マスク４００ａを有した樹脂版に、紫外光が照射される。すると、加工したマスク４００ａの透明部４００ｔを通過した紫外光は、適切な硬化深度４００ｈを持った硬化樹脂部４００ｎを形成する。半透明部４００ｓを通過した紫外光は、適切な硬化深度４００ｈを持った硬化樹脂部４００ｍを形成する。遮光部４００ｃは、紫外光を通過させないので、樹脂部４００ｂを硬化させない（図１１（ア））。
【００５４】
なお、「（ア）樹脂版への紫外光照射」の図において、説明の都合上、背面露光により作成される土台は、省略してある。
【００５５】
次に、このようにして作成された樹脂凸版４００ｐの構造を説明する。樹脂凸版４００ｐは、紫外光硬化させた微細な印刷形状の硬化部４００ｍ／４００ｎと、土台部から構成される。土台部は、透過光制御型マスクによる紫外光照射の前に、背面からの紫外光照射により作成される。透過光制御型マスクにより作成された樹脂凸版４００ｐは、微細な印刷形状の硬化部４００ｍ／４００ｎが適切な深さの溝を形成しているので、微細な形状の印刷が実現できる（同（イ））。
【００５６】
図１２は、従来のマスクにより紫外光照射して製造した微細形状の溝が浅い樹脂凸版の例である。従来のマスク４００ｘは、微細な印刷形状のマスク部分が透明部４００ｔで構成されているために、透過光が制御できなくて、樹脂の硬化部分４００ｎが大きくなり、溝が浅くなってしまうことを例示している。
【００５７】
以上詳しく説明したように、本願発明によれば、微細な形状の印刷を行うために十分な溝を有する凸版を製造することが可能になった。また、微細な印刷を行うために十分な溝を有する凸版を用いることで、品質の優れた微細な形状の印刷をすることが可能になった。
【図面の簡単な説明】
【００５８】
【図１】透過光制御型マスク作成システム
【図２】透過光制御型マスク作成システムの大まかな処理の流れ
【図３】透過光制御型マスク作成装置の詳細な構成図
【図４】製版データ１９１の構造
【図５】微細領域データ３９１の構造
【図６】マスク加工データ３９９の構造
【図７】マスク加工データ作成手順
【図８】マスク４００を有する樹脂版（マスク未加工）の構造
【図９】加工されたマスクを有する樹脂版の例
【図１０】マスクの紫外線透過光量
【図１１】（参考図）透過光制御型マスクを用いた樹脂版の硬化部分の説明
【図１２】（参考図）従来のマスクにより紫外光照射して製造した樹脂凸版の例
【符号の説明】
【００５９】
透過光制御型マスク作成システム
１００  編集組版装置
１９１  製版データ
１９１ａ  袋文字オブジェクト
１９１ｂ  親子罫線オブジェクト
１９１ｃ  文字オブジェクト
１９１ｄ  罫線オブジェクト
１９１ｅ  画像オブジェクト
３００  透過光制御型マスク作成装置
３１０  透明データ作成手段
３１５  遮光データ作成手段
３２０  微細領域データ作成手段
３３０  半透明データ作成手段
３４０  マスク加工データ作成手段
３５０  レーザー光制御手段
３５５  レーザー光照射手段
３９０  記憶手段
３９５  微細領域データ
３９５ａ  袋文字輪郭情報
３９５ｂ  子罫線情報
３９９  マスク加工データ
３９９ａ  半透明データ
３９９ｂ  透明データ
３９９ｃ  遮光データ
４００  製版マスク
４００ｂ  樹脂版
４００ａ  透過光制御型マスク
４００ｂ  樹脂版
４００ｃ  遮光部
４００ｔ  透明部
４００ｓ  半透明部
４００ｐ  樹脂凸版
５００  凸版作成装置
７００  印刷装置
７９９  微細な印刷形状を持つ印刷物
【図１】
2007232808.tif 000003
【図２】
2007232808.tif 000004
【図３】
2007232808.tif 000005
【図４】
2007232808.tif 000006
【図５】
2007232808.tif 000007
【図６】
2007232808.tif 000008
【図７】
2007232808.tif 000009
【図８】
2007232808.tif 000010
【図９】
2007232808.tif 000011
【図１０】
2007232808.tif 000012
【図１１】
2007232808.tif 000013
【図１２】
2007232808.tif 000014